(57)【要約】【課題】単純な構造で、不使用時に内部がシャワーの水や跳ね水などが内部に浸入しにくく濡れにくい浴室作業用ブーツを提供する。【解決手段】ブーツ１の踵部５に、床９に接する平面形成部７を設け、ブーツ１を倒立して置くことができるものにする。踵部５の立ち上り内面６を角度θ１傾斜させ、内部に浸入した水を、排水可能とする。また、平面形成部７とブーツ１の底部２とが成す角度θ２を９０度より小さくし、よってブーツ１の底部２は上方を向き、したがって足の挿入部分３は下方を向くことにし、シャワーの水や跳ね水などが足の挿入部分３から内部により浸入しにくくする。【選択図】図1
2006110023.tif 000002
【特許請求の範囲】
【請求項１】
浴室で作業をする際に用いるブーツの踵部に形成された平面形成部と、この平面形成部を下にして前記ブーツを倒立して置くことができる前記平面形成部の大きさと、を有することを特徴とする浴室作業用ブーツ。
【請求項２】
前記ブーツの踵部の立ち上り内面と前記平面形成部とが成す排水可能な排水角度が０度より大きいことを特徴とする請求項１に記載の浴室作業用ブーツ。
【請求項３】
前記平面形成部とブーツの底部とが成す倒立角度が９０度より小さいことを特徴とする請求項１、又は２に記載の浴室作業用ブーツ。
【発明の詳細な説明】
【技術分野】
【０００１】
この発明は、浴室で作業をする際に用いるブーツの形状に関する。
【背景技術】
【０００２】
浴室で作業をする際に用いるブーツは、主にプラスチック製で、足がすっぽり入るように大きめに作られる。このようなブーツは、内部へ浸入した水が出にくく乾きにくいので、よって内部が濡れやすく、作業者は不快な思いをしやすい。
このため、例えば下記の特許文献１には、作業中に足の甲から足首にかけての部分を覆う蓋が、ブーツに一体的に設けられる技術が開示される。そして作業をしない不使用時には、この蓋は、ブーツの足を入れる部分を覆い、シャワーの水や跳ね水などが内部に浸入しないようにする。
【特許文献１】実開昭64-43704
【発明の開示】
【発明が解決しようとする課題】
【０００３】
しかしながら、前記特許文献１の技術は、ブーツに一体的に蓋を設けなければならず、この蓋は、ブーツの不使用時には自動的に足を入れる部分を覆うように工夫しなければならず、構造が複雑になってしまう。その分、蓋の取り付け部分の破損などが心配され、ブーツのコストも高くなってしまう。
【０００４】
この発明は、以上の問題点を解決するために、単純な構造で、不使用時に内部がシャワーの水や跳ね水などが内部に浸入しにくく濡れにくい浴室作業用ブーツを提供することを目的とする。
【課題を解決するための手段】
【０００５】
以上の課題を解決するために、第一発明は、浴室で作業をする際に用いるブーツの踵部に形成された平面形成部と、この平面形成部を下にして前記ブーツを倒立して置くことができる前記平面形成部の大きさと、を有することを特徴とする浴室作業用ブーツである。  第二発明は、さらに、前記ブーツの踵部の立ち上り内面と前記平面形成部とが成す排水可能な排水角度が０度より大きいことを特徴とする浴室作業用ブーツである。
第三発明は、さらに、前記平面形成部とブーツの底部とが成す倒立角度が９０度より小さいことを特徴とする浴室作業用ブーツである。
【発明の効果】
【０００６】
第一、第二、又は第三発明によれば、単純な構造で、ブーツを不使用時に倒立して置くことができるため、シャワーの水や跳ね水などが内部に浸入しにくくできる。また、倒立により、平面形成部が必要とする床などの保管面積は小さくて済む。
第二、又は第三発明によれば、さらに、仮にブーツの内部へシャワーの水や跳ね水などが浸入しても、その浸入水は、踵部の立ち上り内面が、排水可能な角度を有して傾斜しているので、踵部から外部へ排水されやすく、次の使用時までには乾燥してしまい、よって濡れにくくできる。
【０００７】
第三発明によれば、さらに、ブーツの底部は上方を向き、したがって足の挿入部分は下方を向くことになるので、シャワーの水や跳ね水などが内部により浸入しにくくできる。
【発明を実施するための最良の形態】
【０００８】
この発明の実施形態を、図１〜図４に示す。
この実施形態のブーツ１は、プラスチック製で、全体及び足の挿入部分３は、足がすっぽり入るようにやや大きめに作られる。ブーツ１の踵部５の外側には、踵部５から上方左右へ伸びる平面形成部７が形成される。この平面形成部７は、浴室の床９などに接する部分であり、この実施形態では床９に全面的に接する平面を形成している。また、この平面形成部７は、向きを下にして床９に接することで、ブーツ１を倒立して置くことができる大きさを有する。この大きさは、ブーツ１の形状、材質の質量分布などで異なる。また、この平面形成部７を肉厚部にして、重量により倒立状態が維持されやすくし、その分、面積の大きさを小さくする。
【０００９】
ブーツ１の踵部５の立ち上り内面６と、平面形成部７とが成す排水可能な排水角度θ１は、０度より大きく、約５度である。よって、この立ち上り内面６は排水しやすいように傾斜していることとなる。
また、平面形成部７とブーツ１の底部２とが成す倒立角度θ２は、足の挿入部分３が下方を向くように、９０度より小さく、約６０度である。
【００１０】
「実施形態の効果」
この実施形態によれば、以下の効果を有する。
（１）踵部５に平面形成部７を設けるという単純な構造で、ブーツ１を不使用時に倒立して置くことができるため、シャワーの水や跳ね水などが、足の挿入部分３から内部に浸入しにくくできる。
（２）また、倒立により、ブーツ１の不使用時に平面形成部７が接する床９などの保管面積は、従来の底部２が接する面積に比べ、小さくて済む。
【００１１】
（３）不使用時に仮にブーツ１の内部へシャワーの水や跳ね水などが浸入しても、その浸入水は、踵部５の立ち上り内面６が、排水可能な角度θ１を有して傾斜しているので、この傾斜に沿って、踵部５から外部へ排水されやすい。従って、ブーツ１の次の使用時までには乾燥してしまい、内部を濡れにくくできる。
【００１２】
（４）θ２は約６０度でブーツ１の底部２はかなり上方を向き、したがって足の挿入部分３はかなり下方を向くことになるので、シャワーの水や跳ね水などが内部により浸入しにくくできる。約６０度とすることで、あまり小さな角度にならず保管面積をそれほど増加させない。
【００１３】
（５）また、平面形成部７を肉厚部にして、重量により倒立状態が維持されやすくし、その分、平面形成部７の面積すなわち保管面積の大きさを小さくできる。
【００１４】
「他の実施形態」
以上の実施形態では、平面形成部７は全面的に床９に接する平面を形成していたが、他の実施形態では、平面形成部７は大きな凹みを形成し、この凹みの縁部だけが床９に接するものとしてもよい。あるいは、平面形成部７には大きな凹みの中に一つあるいは複数のフランジが、平面形成部７に直角に形成され、このフランジの縁部と凹みの縁部が、床９に接するものとしてもよい。
【００１５】
以上の実施形態では、角度θ２は約６０度としたが、他の実施形態では、６０度よりも小さいものとしてもよい。例えば３０度程度までは可能である。また、６０度より大きくできる。９０度より大きくもできる。９０度より大きくしても、倒立による効果は得られる。
【００１６】
以上の実施形態では、角度θ１は約５度であったが、他の実施形態では、５度より小さくてもよいし、５度より大きくてもよい。θ２を小さくすれば、θ１を無理なく大きくできる。
【図面の簡単な説明】
【００１７】
【図１】この発明の一実施形態を示すブーツの倒立状態を示す側面図である。
【図２】図１のブーツの通常の状態の斜視図である。
【図３】図２のブーツの背面図である。
【図４】図２のブーツの正面図である。
【符号の説明】
【００１８】
１…ブーツ、２・・底部、３…挿入部分、５…踵部、６・・立ち上り内面、７…平面形成部、９…床。
【図１】
2006110023.tif 000003
【図２】
2006110023.tif 000004
【図３】
2006110023.tif 000005
【図４】
2006110023.tif 000006